(57)【要約】【課題】外装ケース内の限られたスペースで電波の受信感度を効率よく向上させることができるアンテナ内蔵式電子時計を提供すること。【解決手段】アンテナ内蔵式電子時計は、外装ケース内に配置されて外部無線情報を受信するアンテナ２１を備える。アンテナ２１は、コア２１１と、コア２１１に巻き回されたコイル２１２とを有し、コア２１１は、コイル２１２の内部に設けられる直線部２１１Ｃと、その両側に延設される端部２１１Ａとから構成される。端部２１１Ａにおけるアモルファス箔２１１０，２１１１の積層数を、直線部２１１Ｃにおけるアモルファス箔２１１０の積層数よりも多くすることにより、裏蓋側からコイル２１２に入る磁束を集磁しやすくなってコア２１１の集磁効果が高まる。従って、限られたスペースを有効に利用するとともに、電波の受信感度を向上させることができる。【選択図】図５
2009250669.tif 000002
【特許請求の範囲】
【請求項１】
外装ケースと、
前記外装ケース内に配置されて外部無線情報を受信するアンテナと、
前記アンテナで受信した外部無線情報を処理する受信手段と、
時刻表示手段と、を備えたアンテナ内蔵式電子時計であって、
前記アンテナは、コアと、前記コアに巻き回されたコイルとを有して構成され、
前記コアは、前記コイルの内部に設けられるコイル部と、前記コイル部の両側にそれぞれ延設される延設部とを含んで構成され、
前記コイル部および前記延設部は、当該時計の厚さ方向に沿って積層された薄膜磁性体で構成され、
前記延設部の少なくとも一部分における前記薄膜磁性体の積層数は、前記コイル部における前記薄膜磁性体の積層数よりも多く、当該時計の厚さ方向に沿った方向において、前記延設部の少なくとも前記一部分の厚さ寸法が、前記コイル部の厚さ寸法よりも大きい
ことを特徴とするアンテナ内蔵式電子時計。
【請求項２】
請求項１に記載のアンテナ内蔵式電子時計において、
前記アンテナは、前記コアの少なくとも一方の前記延設部を収納可能な収納部が形成された非導電性部材からなるコア保持部材を有し、
前記コイルの中心軸に直交する断面における前記収納部の断面形状は、略コ字状または略Ｌ字状に形成されることを特徴とするアンテナ内蔵式電子時計。
【請求項３】
請求項１または請求項２に記載のアンテナ内蔵式電子時計において、
前記外装ケースは、裏蓋を有するとともに、当該外装ケース内には、前記時刻表示手段を支持する地板が前記裏蓋に対向して配置され、
前記地板の前記裏蓋側の面には、前記アンテナが固定されるとともに、前記延設部の少なくとも一部分を収納可能なコア溝部が形成されている
ことを特徴とするアンテナ内蔵式電子時計。
【請求項４】
請求項３に記載のアンテナ内蔵式電子時計において、
当該時計の厚さ方向において、前記コイルの少なくとも一部と重なる部分の前記地板には、当該時計の厚さ方向に貫通する貫通孔が設けられ、
前記薄膜磁性体が前記コイル部よりも多く積層されている前記延設部は、前記コイルの外周面よりも外側に突出していないことを特徴とするアンテナ内蔵式電子時計。
【請求項５】
請求項１から請求項４のいずれかに記載のアンテナ内蔵式電子時計において、
前記受信手段が実装された回路基板を備え、
前記回路基板は、当該時計の厚さ方向において前記コイルと重ならず、かつ、当該時計の厚さ方向において前記コアの少なくとも一部と重なるように形成されている
ことを特徴とするアンテナ内蔵式電子時計。
【発明の詳細な説明】
【技術分野】
【０００１】
本発明は、時刻情報等を含んだ外部無線情報を受信して時刻修正等の処理を行う電波修正時計に代表されるアンテナ内蔵式電子時計に関する。
【背景技術】
【０００２】
従来、外部からの時刻情報を受信して時刻修正を行う電波修正時計等のアンテナ内蔵式電子時計が知られている。このアンテナ内蔵式電子時計において、さらにアンテナ特性を向上させたいという要望が強く、例えば、アンテナ装置においてコアを収納するコアケースの両端部にアモルファス薄膜を設けることによって受信感度を少しでも向上させている（特許文献１参照）。具体的には、アンテナ装置を裏蓋から平面的に見た際に、コアケースの両端部から平面的に外方向にコアが拡張されるようにアモルファス薄膜が設けられており、アンテナが文字板あるいは裏蓋を介して電波を受信し易くしている。
【０００３】
【特許文献１】特開２００７−１８４８９４号公報（図３）
【発明の開示】
【発明が解決しようとする課題】
【０００４】
しかしながら、特許文献１のように、コアケースの両端部からコアが平面的に拡張されるようにアモルファス薄膜を設ける場合には、外装ケース内の他の部品の平面配置上の制約を受けて十分な面積のアモルファス薄膜を設けることができず、受信感度の向上に限界が生じてしまう。また、アモルファス薄膜と平面的に重なる位置に、モータ等を配置すると、モータ等がアンテナの受信感度に影響を与えるため、新たな配置上の制約が生じてしまうという問題がある。
このような問題は、電波修正時計に限らず、無線通信用のアンテナを内蔵した各種のアンテナ内蔵式電子時計に共通する問題であった。
【０００５】
本発明の目的は、外装ケース内の限られたスペースで電波の受信感度を効率よく向上させることができるアンテナ内蔵式電子時計を提供することにある。
【課題を解決するための手段】
【０００６】
本発明のアンテナ内蔵式電子時計は、外装ケースと、前記外装ケース内に配置されて外部無線情報を受信するアンテナと、前記アンテナで受信した外部無線情報を処理する受信手段と、時刻表示手段と、を備えたアンテナ内蔵式電子時計であって、前記アンテナは、コアと、前記コアに巻き回されたコイルとを有して構成され、前記コアは、前記コイルの内部に設けられるコイル部と、前記コイル部の両側にそれぞれ延設される延設部とを含んで構成され、前記コイル部および前記延設部は、当該時計の厚さ方向に沿って積層された薄膜磁性体で構成され、前記延設部の少なくとも一部分における前記薄膜磁性体の積層数は、前記コイル部における前記薄膜磁性体の積層数よりも多く、当該時計の厚さ方向に沿った方向において、前記延設部の前記少なくとも一部分の厚さ寸法が、前記コイル部の厚さ寸法よりも大きいことを特徴とする。
【０００７】
従来のアンテナにおいて、コイル部に対応する部分の厚さ寸法は、延設部に対応する部分の厚さ寸法よりもコイルが巻き回される分だけ大きくなっており、コイルの厚みに相当する段差が、コイル部と延設部との境目に生じていた。この段差によって生じるスペースは、アンテナ用の回路基板等の配置に用いられる場合はあったが、他の部品等の配置にはスペース的に利用しにくく、外装ケース内の諸部材の配置上、有効に利用されていない場合が多かった。そこで、発明者は、コアの延設部の厚みを大きくすることで、電波の受信感度の向上と、外装ケース内のスペースの有効利用とを図った。
ここで、延設部の厚さ方向（時計の厚さ寸法と同じ方向）の寸法（厚さ寸法）が、コイル部の厚さ寸法よりも大きい部分とは、延設部の全部であってもよく、延設部の一部分であってもよい。また、両側の延設部に対して厚みの大きい部分を設定してもよく、片側の延設部にのみ厚みの大きい部分を設定してもよい。
【０００８】
この発明によれば、コアの延設部の少なくとも一部分の厚さ寸法を、コイル部の厚さ寸法よりも大きくすることにより、電波の受信感度を向上させることができる。すなわち、時計の厚さ方向からコイルに入る磁束を集磁しやすくなってコアの集磁効果が高まる。従って、限られたスペースを有効に利用するとともに、電波の受信感度を向上させることができる。
なお、プラスチック製ケースに金属製カバーが取り付けられている場合のように、外装ケースの少なくとも一部に導電性部材が使用されている場合であれば、上述のように、電波の受信感度の向上、およびアンテナ内蔵式電子時計の小型化を図ることができる。
【０００９】
ここで、外装ケースは、非電導性部材で形成された裏蓋を有していてもよく、この場合にはコアのコイル部の厚さ寸法に対して、延設部の厚さ寸法が少なくとも裏蓋側に大きくなるように設定されることが好ましい。このようにすれば、裏蓋側から入る電波を受信しやすくなり、例えば、文字板側に導電性部材（文字板が導電性部材である場合を含む）が配置された場合であっても、裏蓋側からの集磁効果が高くなることで電波の受信感度を向上させることができる。
また、外装ケースは、非電導性部材で形成された文字板を有していてもよく、この場合にはコアのコイル部の厚さ寸法に対して、延設部の厚さ寸法が少なくとも文字板側に大きくなるように設定されることが好ましい。このようにすれば、文字板側から入る電波を受信しやすくなり、例えば、導電性部材の裏蓋が配置された場合であっても、文字板側からの集磁効果が高くなることで電波の受信感度を向上させることができる。
なお、外装ケースは、胴部と裏蓋とが一体化されたワンピース型のものでもよい。
【００１０】
なお、薄膜磁性体としては、コバルト系アモルファス金属、鉄系アモルファス金属等の箔（薄板）などが利用できる。また、コアとしては、例えば、コイル部および延設部の両方に対応する形状の第１の薄膜磁性体と、延設部の一部分にのみ対応する形状であって、第１の薄膜磁性体より平面積が小さい第２の薄膜磁性体とから構成されてもよい。そして、第１の薄膜磁性体を複数積層させた後、延設部のうちの厚さ寸法を大きくしたい部分に、第２の薄膜磁性体をさらに積層させることによりコアが形成されてもよい。
【００１１】
このように、コアに薄膜磁性体を用いているので、磁束が流れる方向の断面積を小さくでき、磁束変化により生じる渦電流が抑制され、鉄損を小さくできる。これにより、渦電流により生じる磁界を抑制することができ、電波の受信感度を向上させることができる。
また、延設部の少なくとも一部分における薄膜磁性体の積層数が、コイル部における薄膜磁性体の積層数よりも多い部分を形成することにより、時計の厚さ方向の磁束を延設部が集磁しやすくなり、電波の受信感度を向上させることができる。
さらに、時計の厚さ方向に沿って薄膜磁性体を積層させるだけでよいので、比較的容易に、延設部の薄膜磁性体の積層数を部分的に多くすることが可能となり、延設部の厚さ寸法を容易に変更できる。
【００１２】
本発明では、前記アンテナは、前記コアの少なくとも一方の前記延設部を収納可能な収納部が形成された非導電性部材からなるコア保持部材を有し、前記コイルの中心軸に直交する断面における前記収納部の断面形状は、略コ字状または略Ｌ字状に形成されることが好ましい。
【００１３】
この発明によれば、コアがコア保持部材に保持されているので、コア保持部材を介してアンテナを地板などに確実に支持固定でき、アンテナの時計への組み込みも容易となる。
また、収納部にコアが収納されていることで、落下等による衝撃からコアが保護され、コアの耐久性を向上させることができる。特に、熱処理したアモルファス箔を積層してコアを構成する場合には、熱処理したアモルファス箔がもろく割れやすくなっているので、コアを収納部に収納することによる保護の効果が大きい。
さらに、収納部の断面形状が略コ字状に形成されている場合、コアを収納する収納部の深さ寸法を、収納されたコアの一部が時計の厚み方向に飛び出さないように十分深く設定することが可能で、コアを保護する効果を高めることができる。また、収納部の断面形状が略Ｌ字状に形成されている場合、コアの積層方向に沿った少なくとも一方の側面が覆われるので、少なくともコアの積層端部を保護して、薄膜磁性体の剥離等を防ぐ効果が得られる。
また、コイルがコア保持部材の周りに巻かれているから、コイルを構成する導線がコアのエッジで傷ついて切れるのを防止できる。
なお、コア保持部材としては、コアの各薄膜磁性体と平行な底面を覆うように設けられる板状部材であってもよい。また、コアの底面と、コアの積層方向に沿った一方の側面とを覆う略Ｌ字状の部材であってもよい。あるいは、コアの底面と、コアの積層方向に沿った両方の側面とを覆う略コ字状の部材であってもよい。さらには、コアの底面、両側面および上面の４面を覆う形状の部材であってもよい。
【００１４】
本発明では、前記外装ケースは、裏蓋を有するとともに、当該外装ケース内には、前記時刻表示手段を支持する地板が前記裏蓋に対向して配置され、前記地板の前記裏蓋側の面には、前記アンテナが固定されるとともに、前記延設部の少なくとも一部分を収納可能なコア溝部が形成されていることが好ましい。
【００１５】
ここで、地板にアンテナを固定させる場合、コアの延設部の厚さ寸法を文字板側（地板側）に大きくするだけでは、時計全体の厚さ寸法が大きくなってしまう。
これに対して、本発明によれば、地板のコア溝部に延設部のコアの一部が収納されるので、時計全体の厚さ寸法が大きくなることなく、アンテナの厚さ方向の配置スペースを確保できる。また、地板は時刻表示手段等を支持しているが、コア溝部以外の部分については従来の地板の形状をそのまま採用できるので、設計変更が少なくて済む。さらに、地板のコア溝部に延設部のコアの一部が収納されることで、衝撃からコアが保護される。なお、地板は非導電性部材で構成されていることが好ましい。
【００１６】
本発明では、当該時計の厚さ方向において、前記コイルの少なくとも一部と重なる部分の前記地板には、当該時計の厚さ方向に貫通する貫通孔が設けられ、前記薄膜磁性体が前記コイル部よりも多く積層されている前記延設部は、前記コイルの外周面よりも外側に突出していないことが好ましい。
【００１７】
この発明によれば、地板に貫通孔が設けられているので、アンテナを外装ケース内に配置する際に、時計の厚さ方向においてコイルの一部を貫通孔内に装入することができる。従って、アンテナを外装ケース内に配置しても、時計の厚さ寸法の増加を抑制することができる。さらに、コアの延設部においてコイル部よりも薄膜磁性体の積層数を多くした部分が、コイルの外周面よりも突出していないので、この延設部に薄膜磁性体を多く積層させることによる時計の厚さ寸法の増加を回避することができる。
【００１８】
本発明では、前記受信手段が実装された回路基板を備え、前記回路基板は、当該時計の厚さ方向において前記コイルと重ならず、かつ、当該時計の厚さ方向において前記コアの少なくとも一部と重なるように形成されていることが好ましい。
【００１９】
この発明によれば、回路基板が時計の厚さ方向においてコイルと重ならないように設けられているので、例えば、回路基板とコイルとが互いに重なる場合に比べて、時計の厚さ寸法の増加を抑制することができ、時計の薄型化を図ることができる。
ここで、回路基板がコアの延設部の少なくとも一部と重なるように設けられているが、回路基板がコイルと互いに重なる場合に比べて、時計の厚さ寸法の増加が小さくて済み、さらに、延設部と重なる回路基板上を素子の実装等に利用することができ、外装ケース内のスペースの有効利用を図ることができる。
【発明の効果】
【００２０】
本発明によれば、外装ケース内の限られたスペースで電波の受信感度を効率よく向上させることができる。
【発明を実施するための最良の形態】
【００２１】
〔第１実施形態〕
以下、本発明の第１実施形態について図１〜図６を参照して説明する。
図１は、本実施形態におけるアンテナ内蔵式電子時計である時計１を裏蓋３３（図２）側から見た平面図であり、図２は、図１の断面図である。図１において、上方向が時計１の１２時方向、下方向が６時方向、左方向が３時方向、右方向が９時方向となっている。
時計１は、一般的な電波修正時計と同様の構成を備えるものであり、時刻情報を含む電波（外部無線情報）を受信して処理する受信手段２と、ムーブメント４と、ムーブメント４を収容する外装ケース３とを備えて構成されている。
【００２２】
〔１．外装ケースの構造〕
外装ケース３は、略リング状に形成されたケーシング（胴部）３１と、ケーシング３１の表面側の開口部に装着されたカバーガラス３２と、ケーシング３１の裏面側の開口部に着脱可能に取り付けられた裏蓋３３とを備えている。ケーシング３１は、ステンレス鋼、真鍮、チタン等の金属材で構成されている。
また、ムーブメント４の表面側には、文字板３５が取り付けられており、文字板３５の略中央には、ステッピングモータで駆動される輪列に取り付けられた秒針３５１、分針３５２、時針３５３が配置されている。また、文字板３５の裏面には図示しないリング状の日車が設けられ、文字板３５に形成された窓から日車の外周に印字された日付が表示されるようになっている。
【００２３】
本実施形態では、文字板３５は、ガラス、透明プラスチックなどの透光性を有する非導電性部材（電気絶縁体）で構成されている。また、文字板３５の裏側には、ソーラーパネル３６が文字板３５と重ねて設けられている。ソーラーパネル３６は、電波を透過させるポリイミドからなるフレキシブル基板により形成されている。
裏蓋３３の一部は、非導電性部材である円形状のガラス板３３１が使用されている。ガラス板３３１は、裏蓋３３の本体である金属製の外周リング内に嵌め込まれている。
【００２４】
〔２．受信手段の構造〕
次に、時刻情報を受信する構造について説明する。
時刻情報の受信手段２は、図３に示すように、電波を受信するアンテナ２１と、受信電波に同調させる同調回路２２と、時針電波から得られる時刻情報を処理する受信回路２３と、処理された時刻情報を記憶する時刻データ記憶回路２４とを備えて構成されている。
【００２５】
同調回路２２は、アンテナ２１に対して並列に接続された２つのコンデンサ２２Ａ，２２Ｂを備えて構成され、一方のコンデンサ２２Ｂがスイッチ２２Ｃを介してアンテナ２１に接続されている。
【００２６】
次に、アンテナ２１は、図４、図５に示すように、磁性体のコア２１１にコイル２１２を巻いて構成されており、必要に応じて、耐食性に優れるカチオン電着塗装等で絶縁を施したものである。ここで、図４はアンテナ２１の平面図、図５はアンテナ２１を側方からみた断面図である。
コア２１１は、図５に示すように、コイル２１２の内部に設けられる平面矩形状の直線部（コイル部）２１１Ｃと、この直線部２１１Ｃの長手方向両端側に略円弧状に湾曲して延設される端部（延設部）２１１Ａとが一体的に形成された構成である。
ここで、各端部２１１Ａは、図４の平面図におけるコイル２１２の軸方向と交差する中心線Ｃ１および図５の断面図における中心線Ｃ２の、それぞれに対して互いに略線対称に形成されている。
【００２７】
図６は、コア２１１を構成するアモルファス箔２１１０，２１１１を示す図であり、（Ａ）は文字板側のアモルファス箔２１１０を示す平面図であり、（Ｂ）は裏蓋側のアモルファス箔２１１１を示す平面図である。
コア２１１は、薄膜磁性体としてのアモルファス箔を時計の厚さ方向（図５中の上下方向）に沿って複数枚積層してなる積層コアとなっている。このコア２１１は、平面形状が扁平した略Ｕ字状に形成されたアモルファス箔２１１０と、アモルファス箔２１１０より平面積が小さく、平面形状が略円弧状に形成されたアモルファス箔２１１１との２種類のアモルファス箔からなる。
略Ｕ字状のアモルファス箔２１１０は、コア２１１の直線部２１１Ｃおよび両端部２１１Ａに対応した形状となっており、略円弧状のアモルファス箔２１１１は、コア２１１の一方の端部２１１Ａにのみ対応した形状となっている（図５参照）。
【００２８】
コア２１１は、積層されたアモルファス箔２１１０，２１１１を補強するため、コア保持部材としてのアンテナ枠２１３に収納されている。
アンテナ枠２１３は、図４，図５に示すように、アモルファス箔２１１０の平面形状よりも一回り大きい平坦な略Ｕ字状に形成されている。そして、アンテナ枠２１３は、コイル２１２の中心軸に直交する断面形状が略コ字状に形成された収納部２１６，２１７を有している。
この収納部２１６，２１７は、直線部２１１Ｃが収納される収納部２１６と、収納部２１６よりも深底で各端部２１１Ａが収納される収納部２１７とから構成される。つまり、収納部２１６よりも収納部２１７の方が裏蓋３３側により多くのアモルファス箔を収納できるようになっている。なお、アンテナ枠２１３は、合成樹脂の射出成形品などの非導電性部材で構成されている。また、アンテナ枠２１３において両端部２１１Ａに対応する部分の厚みは、コイル２１２よりも裏蓋側に突出しないように設定されている。すなわち、アンテナ２１の厚みとしては、コイル２１２部分の厚みが最大となっている。
【００２９】
そして、深底の収納部２１７に略円弧状のアモルファス箔２１１１が複数枚積層して収納され、その上に、略Ｕ字状のアモルファス箔２１１０が複数枚積層されてコア２１１が構成されている。すなわち、両端部２１１Ａに積層されたアモルファス箔の積層数の方が直線部２１１Ｃにおける積層数よりも多くなっている。
収納部２１６，２１７の内側に、アモルファス箔２１１０，２１１１が積層して配置されることで、アンテナ枠２１３は、アモルファス箔２１１０，２１１１の裏蓋３３側の面と、コア２１１の長手方向に沿ったアモルファス箔２１１０，２１１１の両側の積層側面と、コア２１１の両端部におけるアモルファス箔２１１０，２１１１の積層端面とをそれぞれ覆っている。なお、コア２１１を収納する収納部２１６，２１７の深さは、収納されたコア２１１の一部が収納部２１６，２１７から地板側（図５中の上側）に飛び出さないように十分深く設定されている。
このようにコア２１１がアンテナ枠２１３に収容されることにより、コア２１１を振動、衝撃等の外乱から保護できるとともに、コイル２１２の巻線作業が容易になり、コイル２１２の巻きくずれを防ぐこともできる。
なお、コア２１１の強度によっては、アンテナ枠２１３を不要にできる場合もある。
【００３０】
コア２１１は、アモルファス箔（例；Ｃｏ５０ｗｔ％以上のコバルト系のアモルファス箔）２１１０，２１１１を型で打ち抜くか、エッチングで成形して１０〜３０枚程度積層して貼り合わせ、焼鈍等の熱処理を行って磁気特性を安定化させたものである。アモルファス箔２１１０，２１１１を貼り合わせる際の接着剤には、硬化した際にアモルファス箔２１１０，２１１１に応力がかからないようなものを選定して使用している。
【００３１】
コア２１１を構成する各アモルファス箔２１１０，２１１１は、厚さ寸法が０．０１ｍｍ〜０．０５ｍｍ程度であって、例えば３０枚積層した場合、その積層方向の厚さ寸法は０．３ｍｍ〜１．５ｍｍ程度である。
また、アモルファス材は保磁力が０．３２Ａ／ｍ程度と小さく、フェライトに比べて磁気特性が良いため、より小型・薄型のアンテナ２１を実現できる。そして、アンテナ特性は、アンテナの体積に影響されるため、アンテナを薄くする分、アンテナ特性を維持するには、平面積を大きくするか、アンテナ長（コアおよびコイルの長さ）を長くする必要がある。従って、本実施形態では、コア２１１の幅寸法は例えば０．５〜３．０ｍｍ程度であり、長さは１５〜３０ｍｍ程度とされている。
なお、アモルファス箔の厚さが０．０５ｍｍより厚くなると、アモルファス箔の厚さ中央部を迅速に冷却することが困難であるため、金属はアモルファス化されることなく結晶化されてしまう。すなわち、アモルファス材を製造するには、金属が結晶化される以前に、迅速に冷却する必要があり、そのためには金属の厚さを小さくする必要がある。また、アモルファス箔の厚さが０．０１ｍｍより小さくなると、組立作業時など、アモルファス箔の強度が低下して変形しやすい。
【００３２】
コイル２１２は、長波標準電波（４０〜７７．５ｋＨｚ）を受信する場合は、１０〜５０ｍＨｚ程度のインダクタンス値が必要となる。このため、本実施形態では、コイル２１２として直径０．１μｍ程度のウレメット線を数百ターンほど巻いている。なお、本実施形態では、コイル２１２の巻線作業を容易にし、巻きくずれを防止するため、コイル２１２をコア２１１の直線部２１１Ｃに巻きつけて、両端部２１１Ａには巻いていない。
また、コイル２１２の巻き方としては、特に限定されず、乱巻きなどでもよいが、特に整列巻きが好ましい。整列巻きを採用すれば、コイル線材間の無駄な空間が無くなり、同じインダクタンス値を得るためのコイル体積を小さくできる。なお、コイル２１２は、アモルファス箔２１１０，２１１１が収納された状態のアンテナ枠２１３の外周に巻き回されている。
【００３３】
〔３．回路基板の構成〕
上述した図３に示すコンデンサ２２Ａ，２２Ｂ、受信回路２３、および記憶回路２４は、図１に示すように、それぞれ同調用素子４８１、受信ＩＣ４８２、およびＲＡＭとして裏蓋３３側の回路基板４０に実装されている。このほか、回路基板４０には、ＣＰＵ４９１や基準振動子４９２等が実装されている。
【００３４】
ここで、アンテナ２１と受信ＩＣ４８２とは、同調用素子４８１を介して２本の配線で接続されている。すなわち、コイル２１２の一方の端部から導線を引き出して回路基板４０にはんだ付けすることにより、アンテナ２１と受信ＩＣ４８２とが導通されている。なお、ポリイミドからなるフレキシブル基板などがアンテナ枠２１３に設けられている場合には、コイルをフレキシブル基板に接続するとともに、このフレキシブル基板を回路基板４０にねじ止めし、フレキシブル基板およびねじを介してアンテナ２１と回路基板４０とを導通してもよい。
【００３５】
〔４．外装ケース内の部品配置〕
図２において、外装ケース３内に収容されたムーブメント４には、図示しない輪列、地板３７、文字板３５、回路基板４０、電池、指針および日車を駆動するモータなどとともに、上述のアンテナ２１が組み込まれている。
ところで、本実施形態のアンテナ２１は、コア２１１の端部２１１Ａの裏蓋３３側にアモルファス箔が多く積層され、端部２１１Ａの厚さ寸法が直線部２１１Ｃの厚さ寸法よりも大きい点において特徴的な形状である。以下、このアンテナ２１の外装ケース３内の配置に関して説明する。
【００３６】
アンテナ２１は、図１に示すように、ケーシング３１の内周面３１Ａの９時方向に寄せて配置されており、コア２１１の両端部が内周面３１Ａに近接している。アンテナ２１がケーシング３１内の９時方向に配置されているのに対して、電池４５２は、略１時方向に配置されており、アンテナ２１および電池４５２は、ケーシング３１内で比較的離れて配置されている。なお、電池４５２には、高容量二次電池であるリチウムイオン電池が採用されており、ソーラーパネル３６によって発電された電力は、この電池４５２に蓄積されている。
また、基準振動子４９２は６時方向に配置され、ＣＰＵ４９１等と比べてアンテナ２１から離して配置されている。そして、モータ４２１，４３１の駆動コイル４２２，４３２はそれぞれ３時方向、４時方向と、やはりアンテナ２１から離して配置されている。
なお、アンテナ２１とムーブメント４との間には、緩衝材として、プラスチック製円板からなる図示しないスペーサが設けられている。
さらに、外装ケース３の内周面３１Ａとアンテナ２１との間には、プラスチック製のリング状の中枠３９が設けられている。
【００３７】
図２にて、アンテナ２１は、アンテナ枠２１３の両端部の孔２１４に挿入されたねじ２１５により、地板３７の裏蓋３３側の面に対してねじ止めされ、ケーシング３１内に固定されている。時計１の厚さ方向において、コイル２１２の少なくとも一部と重なる部分の地板３７には、時計１の厚さ方向に貫通する貫通孔３７１が設けられ、コイル２１２の文字板３５側の一部が貫通孔３７１に挿入された状態となっている。
なお、ねじ止めに代えて、コア２１１の各端部２１１Ａの先端部が熱可塑性樹脂（ホットメルト）、紫外線硬化型エポキシ等を用いて地板３７の周縁にそれぞれ接着されてもよい。アンテナ２１の固定には、緩衝材として弾性のあるシーリング材を使用してもよい。
【００３８】
また、コア２１１のアモルファス材料は、保磁力が０．３２Ａ／ｍ程度とフェライトに比べて小さいので、コア２１１の端部２１１Ａを内周面３１Ａに近接配置しても、ケーシング３１からの磁気的な影響を受けにくい。よって、本実施形態では、中枠３９のリング線幅を数ｍｍ程度に設定し、端部２１１Ａと内周面３１Ａとの間の距離を非常に小さくしている。
【００３９】
裏蓋３３側に組み込まれた回路基板４０には、図１に示すように、コア２１１の一方の端部２１１Ａおよび直線部２１１Ｃが配置される位置に切欠４０１が形成されている。すなわち、回路基板４０は、時計１の厚さ方向においてコイル２１２およびコア２１１の一方の端部２１１Ａと重ならず、コア２１１の他方の端部２１１Ａと重なるように形成されている。そして、この切欠４０１から、コイル２１２と一方の端部２１１Ａとが裏蓋３３側に露出している。
また、回路基板４０には、図示しない地板に設けられた駆動コイル４１２，４２２，４３２に対応するそれぞれの位置に矩形状の切欠４０２が形成されていて、これらの切欠４０２からは、各駆動コイル４１２，４２２，４３２がそれぞれ露出している。
【００４０】
アンテナ２１で長波標準電波等の電波を受信するときは、電波の磁界成分は、アンテナ２１のコア２１１において、一方の端部２１１Ａから他方の端部２１１Ａへと通過する。すると、コア２１１に巻回されたコイル２１２に交流電流が誘導され、これに伴ってコイル２１２の両端に交流電圧が発生する。そして、この交流電圧がアナログ受信信号として受信回路２３に送られる。
そして、このアナログ受信信号を受信回路２３で増幅、復調、デコード等の処理をしてデジタルの時刻データとし、この時刻データは、記憶回路２４に記憶される。
【００４１】
アンテナ２１は、通常、コア２１１の各端部２１１Ａを結ぶ延長線方向（コア２１１やコイル２１２の軸方向）の磁界に反応する指向性を有している。すなわち、コイル２１２と磁界とが鎖交する方向が最大感度方向となるため、コア２１１やコイル２１２の軸方向ないしその近傍に金属製のケーシング３１が近接して配置されていると、コイル２１２を鎖交する磁界が妨げられてアンテナ２１の受信感度が低下する。
これに対し、本実施形態では、前述のように、コア２１１の端部２１１Ａの厚さ寸法が直線部２１１Ｃの厚さ寸法よりも大きく、コア２１１が端部２１１Ａにおいて裏蓋３３側に拡張されているので、電波の受信感度が向上される。すなわち、裏蓋３３側からコイル２１２に入る磁束を集磁しやすくなってコア２１１の集磁効果が高まるため、電波の受信感度が向上される。
【００４２】
この集磁効果について図を用いて説明する。
図７（Ｂ）は、コアがアモルファス箔２１１０を複数枚積層したのみで形成されている比較用のアンテナを側面からみた概略図である。これに対し、図７（Ａ）は、コアが２種類のアモルファス箔２１１０，２１１１を用いて構成され、コアの両端部２１１Ａの厚さ寸法が、コイル２１２の内部のコアの厚さ寸法よりも大きく形成された本実施形態のアンテナを側面からみた概略図である。そして、コアの両側の矢印は、アンテナでの電波受信に伴って発生する磁束線を示す。すなわち、コアの両端部２１１Ａをコアの中央部よりも厚くすると、より多くの磁束線がコイル２１２を通過して電波の受信感度が向上される。特に、コアの両端部２１１Ａを厚くすることで、時計の厚さ方向（例えば、文字板側や裏蓋側）からの磁束線をアンテナが集磁しやすくなる。
【００４３】
一方、アンテナ２１の平面配置に関しては、前述のように円弧状に形成した端部２１１Ａを内周面３１Ａに沿って配置している。このため、図１に示すとおり、コア２１１の端面２１１Ｂから、端部２１１Ａの軸方向に配置される金属製のケーシング３１の内周面３１Ａまでの距離Ｄ１を比較的大きくでき、アンテナ２１における電波の受信感度を向上することができる。なお、この距離Ｄ１は、ケーシング３１の直径等によって決められるが、例えばケーシング３１の直径が３０mm程度、アンテナコアの幅寸法が約３mm程度であったとすると、距離Ｄ１は約６．５mm程度である。
【００４４】
そして、電池４５２がアンテナ２１と離して配置されていることから、ステンレス等の金属製ケースを備えている電池４５２によるアンテナ２１の鎖交磁界への影響を回避できる。また、基準振動子４９２もアンテナ２１と離して配置されているので、長波受信周波数（４０ｋＨｚ）に近い３２．７６８ｋＨｚの水晶振動子が利用されている基準振動子４９２によってアンテナ２１にノイズ信号が混入するおそれが小さく、時刻情報を良好に受信できる。さらに、駆動コイル４２２，４３２もアンテナ２１とは離して配置され、駆動コイル４２２，４３２によるアンテナ２１への磁気影響が低減されている。
【００４５】
このような第１実施形態によれば、次のような効果が得られる。
（１）端部２１１Ａにおけるアモルファス箔２１１０，２１１１の積層数を、直線部２１１Ｃにおけるアモルファス箔２１１０の積層数よりも多くすることにより、電波の受信感度を向上させることができる。すなわち、裏蓋３３側からコイル２１２に入る磁束を集磁しやすくなってコア２１１の集磁効果が高まる。従って、限られたスペースを有効に利用するとともに、電波の受信感度を向上させることができる。
【００４６】
（２）金属性のケーシング３１が使用されていてもアンテナ２１の受信感度が高いことから、ケーシング３１の内周面３１Ａにコア２１１を出来る限り近付けて、ケーシング３１内の平面的なスペース効率を大きく向上させることができる。これにより、時計１の小型化を促進できる。また、金属製のケーシング３１により、外装ケースをプラスチック等で構成した場合に比べて高級感のある外観意匠を得ることができ、これによりデザイン上の制約も少ない時計１を提供することができる。
【００４７】
（３）アモルファス箔２１１０，２１１１を積層させるだけで、比較的容易に、端部２１１Ａの厚さ寸法を容易に変更でき、アンテナ２１の受信感度を調整しやすい。
【００４８】
（４）コ字状の断面形状の収納部２１６，２１７にコア２１１が収納されていることで、熱処理してもろく割れやすくなったアモルファス箔２１１０，２１１１を落下等による衝撃から保護することができ、コア２１１の耐久性を向上させることができる。
【００４９】
（５）地板３７が貫通孔３７１を有するので、アンテナ２１を外装ケース３内に配置する際に、コイル２１２の文字板３５側の一部を貫通孔３７１内に装入することができる。従って、アンテナ２１を外装ケース３内に配置しても、時計１の厚さ寸法の増加を抑制することができる。さらに、アモルファス箔２１１１の積層数だけ厚くした端部２１１Ａを収納するアンテナ枠２１３が、コイル２１２の裏蓋３３側の外周面よりも突出していないので、コア２１１の端部２１１Ａを厚くしたことによる時計１の厚さ寸法の増加を回避することができる。
【００５０】
（６）回路基板４０が時計１の厚さ方向においてコイル２１２と重ならないので、例えば、回路基板４０とコイル２１２とが互いに重なる場合に比べて、時計１の厚さ寸法の増加を抑制することができ、時計１の薄型化を図ることができる。一方、回路基板４０がコア２１１の他方の端部２１１Ａと重なっているが、この部分の回路基板４０上にも例えば同調用素子４８１のような素子を実装したり配線パターンを形成したりすることができ、外装ケース３内のスペースの有効利用を図ることができる。
【００５１】
（７）ケーシング３１内の平面的なスペース効率が向上された結果、外装ケース３の内部に配置される電池等４５２、受信ＩＣ４８２、基準振動子４９２、モータ４１１，４２１，４３１等のレイアウトの制限が少なくなり、比較的大きなあるいは巻数の多いアンテナ２１を用いることができる。これにより、アンテナ２１の感度をケーシング３１内のスペース効率と相乗的に向上させることができる。
【００５２】
（８）コア２１１にアモルファス箔２１１０，２１１１を用いているので、磁束が流れる方向の断面積を小さくでき、磁束変化により生じる渦電流が抑制され、鉄損を小さくできる。すると、渦電流により生じる磁界を抑制することができ、結果としてアンテナ２１の受信感度を向上させることができる。
【００５３】
（９）コア２１１の端部２１１Ａを平面円弧状に形成し、ケーシング３１の内周面３１Ａに沿って配置したので、コア２１１の端面２１１Ｂ（図１）と、この端面２１１Ｂに対向する位置にある内周面３１Ａとの距離Ｄ１（図１）を比較的大きくすることができる。このため、コア２１１を通ってコイル２１２を鎖交する標準電波の磁界がケーシング３１によって妨げられるのを防止できる。すなわち、アンテナ２１の受信感度に優れ、コア２１１の端部２１１Ａが時計１の厚さ方向に加えて平面方向にも曲げられていることから、コア２１１の端部２１１Ａをケーシング３１の内周面３１Ａに一層近接させて配置可能となるので、時計１を更に小型化できる。
【００５４】
（１０）アモルファス箔２１１０の積層されたコア２１１がアンテナ枠２１３により保持されているので、アンテナ２１を地板３７に安定して確実に固定でき、アンテナ２１の時計１への組み込みも容易となる。
また、コア２１１がアンテナ枠２１３により保持された状態でコイル２１２が巻き回されているため、コイル２１２を構成する導線がコア２１１のエッジで傷ついて切れるのを防止できる。
【００５５】
〔第２実施形態〕
次に、本発明の第２実施形態について説明する。
なお、以降の各実施形態の説明では、既に説明した実施形態と同様の構成については、同一符号を付して、説明を省略もしくは簡略化する。
第１実施形態では、裏蓋および文字板が非導電性部材で構成されていたが、本実施形態では、文字板３５は同様に非導電性部材で構成されているが、裏蓋３３Ａは金属製である。これに伴って、コア２２１の端部２２１Ａにおいて、略円弧状のアモルファス箔２２１１は、第１実施形態の反対側である文字板３５側に積層されている。
【００５６】
図８は、本実施形態の時計１Ａの側断面図である。
アンテナ２１Ａは、アモルファス箔２２１０，２２１１が積層されたコア２２１にコイル２１２を巻いて構成されている。
また、アンテナ枠２１３Ａの収納部２１６Ａは、コア２２１の直線部２２１Ｃおよび両端部２２１Ａが同じ深さとなるように形成されている。この収納部２１６Ａには扁平した略Ｕ字状のアモルファス箔２２１０が積層され、アモルファス箔２２１０にさらに略円弧状のアモルファス箔２２１１が積層されている。すなわちアモルファス箔２２１０よりも文字板３５側に複数のアモルファス箔２２１１が積層され、両端部２２１Ａのコア２２１の厚さ寸法が直線部２２１Ｃのコア２２１の厚さ寸法よりも大きくなっている。また、両端部２２１Ａのコア２２１が収納される収納部２１６Ａについては、前記第１実施形態の収納部２１７（図５）と比べて、裏蓋側にアモルファス箔２１１１が積層されていない分だけ浅くなっている。
【００５７】
地板３７Ａの裏蓋３３Ａ側の面には、アンテナ２１Ａの両端部２２１Ａに対応する位置に、コア溝部３７２が形成されている。このコア溝部３７２には、アンテナ２１Ａの両端部２２１Ａに積層されたアモルファス箔２２１１と、アンテナ枠２１３Ａの両端部の一部とが収納されている。
【００５８】
時計１Ａの厚さ方向において、コイル２１２の少なくとも一部と重なる部分の地板３７Ａには、時計１Ａの厚さ方向に貫通する貫通孔３７１が設けられ、コイル２１２の文字板３５側の一部が貫通孔３７１に挿入された状態となっている。また、アモルファス箔２２１１の積層数だけ厚くなっているコア２２１の端部２２１Ａの一部分は、コイル２１２の文字板３５側の外周面よりも文字板３５側に突出していない。
【００５９】
なお、平面的な配置に関しては、第１実施形態と同様であり、図１に示すように、９時方向に配置されたコア２２１の端部２２１Ａと離間配置するように、略１時方向に電池４５２、６時方向に基準振動子４９２、３時または４時方向に駆動コイル４２２，４３２とがそれぞれ配置されている。これにより、電池４５２や基準振動子４９２、駆動コイル４２２，４３３などによるアンテナ２１Ａの鎖交磁界への干渉が防止されている。
【００６０】
本実施形態では、第１実施形態による効果に加えて、次のような効果を奏する。
（１１）非電導性部材で形成された文字板３５を有し、コア２２１の直線部２２１Ｃの厚さ寸法に対して、端部２１１Ａの厚さ寸法が文字板３５側に大きくなるように設定されているので、文字板３５側から入る電波を受信しやすくなる。従って、裏蓋３３Ａが金属製であっても、文字板３５側からの集磁効果が高くなることで電波の受信感度を向上させることができる。
【００６１】
（１２）地板３７Ａのコア溝部３７２に、アモルファス箔２２１１と、アンテナ枠２１３Ａの両端部の一部とが収納されるので、時計１Ａ全体の厚さ寸法が大きくならず、アンテナ２１Ａの厚さ方向の配置スペースを確保できる。また、地板３７Ａは時刻表示手段等を支持しているため、コア溝部３７２以外の部分については従来の地板の形状をそのまま採用でき、設計変更が少なくて済む。さらに、アモルファス箔２２１１がコア溝部３７２に収納されることで、衝撃からコア２２１が保護される。
【００６２】
（１３）地板３７Ａが貫通孔３７１を有するので、アンテナ２１を外装ケース３内に配置する際に、コイル２１２の文字板３５側の一部を貫通孔３７１内に装入することができる。従って、アンテナ２１を外装ケース３内に配置しても、時計１の厚さ寸法の増加を抑制することができる。さらに、アモルファス箔２２１１の積層数だけ厚くした端部２２１Ａが、コイル２１２の文字板３５側の外周面よりも突出していないので、コア２２１の端部２２１Ａの一部を厚くしたことによる時計１Ａの厚さ寸法の増加を回避することができる。
【００６３】
（１４）文字板３５を介して時刻情報が受信されるので、裏蓋３３Ａには特に材料の制約がなく、金属材などの導電性部材を採用することにより、裏蓋３３Ａの仕上げの質感を向上させることができる。
【００６４】
〔第３実施形態〕
次に、本発明の第３実施形態について図面に基づいて説明する。
図９は、本実施形態のアンテナ２１Ｂを側方からみた断面図である。図１０は、コア２４１を構成するアモルファス箔２４１０，２４１１を示す図であり、（Ａ）は文字板側のアモルファス箔２４１０を示す平面図であり、（Ｂ）は裏蓋側のアモルファス箔２４１１を示す平面図である。
第１実施形態のアンテナ２１は、図５にてコア２１１の両端部２１１Ａに、略円弧状のアモルファス箔２１１１が追加して積層されたものであるが、本実施形態では、図９および図１０に示すように、コア２４１の一方の端部２４１Ａにのみアモルファス箔２４１１を積層した後、さらにアモルファス箔２４１０が積層されたものである。アンテナ枠２１３Ｂには、直線部２４１Ｃおよび他方の端部２４１Ｂに対応する位置に収納部２１６Ｂが形成され、一方の端部２４１Ａに対応する位置に収納部２１６Ｂよりも深底の収納部２１７が形成されている。そして、一方の端部２４１Ａの厚さ寸法が、直線部２４１Ｃの厚さ寸法よりも大きく設定されている。
【００６５】
さらに、他方の端部２４１Ｂにおけるアンテナ枠２１３Ｂの裏蓋側（図９中の下側）の面には、フレキシブル基板によるアンテナ用の回路基板４０Ａが取り付けられている。この回路基板４０Ａには、アンテナ２１の同調用素子４４が複数個実装されている。ここで、回路基板４０Ａは、孔２１４に挿入されたねじ２１５（図８）により、アンテナ枠２１３Ｂとともに回路基板４０Ａを挟み込むようにして地板に固定され、これによって回路基板４０Ａが回路基板４０（図１）と導通されている。
【００６６】
本実施形態では、前述の効果に加えて、次のような効果を奏する。
（１５）コア２４１の一方の端部２４１Ａについては、アモルファス箔２４１１によって厚さ寸法を直線部２４１Ｃの厚さ寸法よりも大きくすることで、受信感度を向上させることができ、コア２４１の他方の端部２４１Ｂについては、アンテナ用の回路基板４０Ａを配置することで、ケーシング内のスペースを有効に利用できる。これにより、アンテナ２１Ｂの受信感度をケーシング内スペースの有効利用と相乗的に向上させることができる。
【００６７】
〔第４実施形態〕
次に、本発明の第４実施形態について図面に基づいて説明する。
図１１は、本実施形態のアンテナ２１Ｃを側方からみた断面図である。図１２は、コア２５１を構成するアモルファス箔２５１０，２５１１を示す図であり、（Ａ）は文字板側のアモルファス箔２５１０を示す平面図であり、（Ｂ）は裏蓋側のアモルファス箔２５１１を示す平面図である。
前述の第３実施形態のアンテナ２１Ｂ（図９）は、コア２４１の一方の端部２４１Ａの全体が直線部２４１Ｃよりも厚くなるように形成されていたが、本実施形態のアンテナ２１Ｃは、図１１に示すように、コア２５１の一方の端部２５１Ａの少なくとも一部分が直線部２５１Ｃよりも厚くなるように形成されている。
【００６８】
図１２にも示すように、コア２５１の一方の端部２５１Ａは、第３実施形態のアモルファス箔２４１１よりも小さい平面積のアモルファス箔２５１１が積層された後、さらにアモルファス箔２５１０が積層されたものである。アンテナ枠２１３Ｃには、直線部２５１Ｃおよび他方の端部２５１Ｂに対応する位置に収納部２１６Ｂが形成され、一方の端部２５１Ａに対応する位置に収納部２１６Ｂよりも深底の収納部２１７Ａが形成されている。この収納部２１７Ａについては、前記第３実施形態の収納部２１７（図９）に比べて、アモルファス箔２５１１の面積がアモルファス箔２４１１よりも小さい分だけ、少ない収納容積となっている。また、コア２５１については、一方の端部２５１Ａの厚さ寸法が、直線部２５１Ｃの厚さ寸法よりも部分的に大きく設定されている。
なお、第３実施形態と同様に、他方の端部２５１Ｂにおけるアンテナ枠２１３Ｃの裏蓋側（図１１中の下側）の面には、フレキシブル基板によるアンテナ用の回路基板４０Ｂが取り付けられ、この回路基板４０Ｂには同調用素子４４が複数個実装されている。
【００６９】
本実施形態では、前述の効果に加えて、次のような効果を奏する。
（１６）外装ケース内に収納される各部材の配置上の制約を受けて、コア２５１の厚さ寸法を増やすスペースを十分に確保できない場合であっても、コア２５１の一方の端部２５１Ａについて僅かであっても部分的にアモルファス箔２５１１の積層枚数を多くすることによって、受信感度を改善させることができる。
【００７０】
〔第５実施形態〕
次に、本発明の第５実施形態について図１３〜図１７を参照して説明する。
本実施形態の時計は、第１実施形態の時計１とほぼ同様の構成であるが、本実施形態では、より具体的な構造が示された詳細な図面を参照して説明する。
【００７１】
図１３には、本実施形態にかかる時計１Ｂの平面図が示されている。
この時計１Ｂも、時刻情報が重畳された外部信号としての標準電波を受信して表示時刻を修正する電波修正時計である。時計１Ｂはアンテナ５１を備え、アンテナ５１は地板５０に支持固定されている。ここで、地板５０は、平面形状略円形に形成されており、この地板５０上に時計１Ｂの各構成部品が配置されている。
【００７２】
時計１Ｂは、アンテナ５１以外の主な構成部品として、秒針３５１（図２）を駆動する秒モータ４１１、および時針３５３および分針３５２（図２）を駆動する時分モータ４２１と、日車（図示せず）を駆動する暦モータ４３１と、電源としての電池４５２を収納する電池収納部５４１と、リュウズなど外部から使用者が操作可能な外部入力装置３Ａとを備える。
なお、図１３は、時計１Ｂの時刻表示側とは反対側（裏蓋側）から見た図であり、この図において、上方向が時計１Ｂの３時方向、下方向が９時方向、右方向が１２時方向、左方向が６時方向となっている。
【００７３】
秒針と秒モータ４１１との間には、秒モータ４１１からの駆動力を秒針に伝達する秒針用輪列５２２が設けられ、時針および分針と時分モータ４２１との間には、時分モータ４２１からの駆動力を時針および分針に伝達する時分針用輪列５２７が設けられている。
【００７４】
秒モータ４１１は、ステッピングモータで構成され、時計１Ｂの略９時方向でアンテナ５１よりも地板５０の中央側に配置される。
秒針用輪列５２２は、秒モータ４１１のロータに噛合する秒中間車５２２１と、秒中間車５２２１に噛合する四番車５２２２とを備えている。四番車５２２２には、秒針が固定されている。秒モータ４１１のステッピングモータにモータパルスを流すと、電磁誘導によりロータが回転する。この回転運動は、秒中間車５２２１、および四番車５２２２の順に適切な減速比（増速比）で減速されながら伝達され、秒針が１パルス１秒の所定速度で回動する。
【００７５】
時分モータ４２１は、秒モータ４１１と同様にステッピングモータで構成され、時計１Ｂの略３時方向に配置されている。
時分針用輪列５２７は、時分モータ４２１のロータに噛合する五番車５２７１と、五番車５２７１に噛合する三番車５２７２と、三番車に噛合する二番車５２７３と、二番車５２７３に噛合する日の裏車５２７４と、日の裏車５２７４に噛合する筒車５２７５とを備える。二番車５２７３および筒車５２７５は、四番車５２２２と同軸上に配置され、二番車５２７３には分針が、筒車５２７５には時針が固定されている。時分モータ４２１にモータパルスを流すと、電磁誘導によりロータが回転する。この回転運動は、五番車５２７１、三番車５２７２、二番車５２７３の順に適切な減速比（増速比）で減速されながら伝達され、分針が１時間で一周する速度で回動する。また、二番車５２７３の回転運動は、日の裏車５２７４、筒車５２７５の順に適切な減速比（増速比）で減速されながら伝達されて、時針が１２時間で１周する速度で回動する。
【００７６】
ここで、秒モータ４１１と時分モータ４２１とは、互いに略対向する位置に配置されている。つまり、秒モータ４１１と時分モータ４２１とは、地板５０の略中心（つまり二番車５２７３、四番車５２２２、および筒車５２７５の回転中心であり、指針の回動中心）を挟んで互いにほぼ反対側に配置されている。
【００７７】
暦モータ４３１は、秒モータ４１１および時分モータ４２１と同様に、ステッピングモータで構成され、時計１Ｂの略５時方向に配設されている。
日車と暦モータ４３１との間には、暦モータ４３１からの駆動力を日車に伝達する暦用輪列５３３が設けられている。暦用輪列５３３は、ロータに噛合する日回し第一中間車５３３１と、日回し第一中間車５３３１に噛合する日回し第二中間車５３３２と、日回し第二中間車５３３２に噛合する日回し車５３３３とを備える。日回し車５３３３は、地板５０を貫通して文字板側に歯車を有し、この歯車が日車の内歯車に噛合される。なお、日車の平面方向の位置は、歯車と内歯車との噛合によって行われ、従来日車の位置決めに用いられるようなジャンパは設けられていない。
【００７８】
暦モータ４３１にモータパルスを流すと、電磁誘導によりロータが回転する。この回転は、日回し第一中間車５３３１、日回し第二中間車５３３２、日回し車５３３３の順に伝達され、日回し車５３３３の回転によって日車が回転し、表示される日付が変更される。
【００７９】
電池収納部５４１には、電池４５２が収納されている。電池４５２は、二次電池である。時計１Ｂは、時刻表示側に配置されたソーラーパネル３６（図２）の発電によって駆動用エネルギーを得ている。すなわち、本実施形態では、前記各実施形態とは異なり、文字板および裏蓋の両方が非導電性部材で構成されている。ソーラーパネル３６によって発電された電力は、この電池４５２に蓄積されている。電池収納部５４１は、時計１Ｂの略１時方向に配設され、地板５０の外周側に配置されている。
ここで、電池収納部５４１は、時分針用輪列５２７よりも地板５０の外周側（外側）に配置されている。
【００８０】
図１４には、アンテナ５１からコイル５１２を取り除いたものを時刻表示側（地板５０側）から見た斜視図が示されている。アンテナ５１は、地板５０の外縁に略沿ったコア保持部材としてのアンテナ枠５１３と、アンテナ枠５１３に収められたコア５２１と、アンテナ枠５１３に巻かれたコイル５１２（図１３）と、アンテナ枠５１３の裏蓋側に配置されている回路基板４０Ｃ（図１３）とを備えている。図１４では、コイル５１２および回路基板４０Ｃを省略している。また、アンテナ枠５１３の一方の湾曲部５５６（図中の左側の湾曲部５５６Ｂ）において、コア５２１は途中で破断して一部を省略して示す。
このようなアンテナ５１は、図１３に示すように、時計１Ｂの略９時方向に地板５０の外縁に沿って配置され、全体として時計１Ｂの略６時から１２時の領域にわたって配置される。
【００８１】
アンテナ枠５１３は、コイル５１２の巻かれた直線状のコイル巻部５５５と、コイル巻部５５５の両端に形成されたフランジ部５５８と、それぞれのフランジ部５５８から連続して形成され、かつ図示しない地板の外周に沿って湾曲した湾曲部５５６とを備えている。アンテナ枠５１３の両端部（それぞれの湾曲部５５６の端）には、ねじでアンテナ枠５１３を地板５０に固定するための固定孔５５７が設けられている。
なお、アンテナ枠５１３は、液晶ポリマなどの合成樹脂等の非導電性材料で構成されている。
【００８２】
ここで、フランジ部５５８によって、コイル５１２は湾曲部５５６に向かって巻き解けないようになっている。また、フランジ部５５８には、アンテナ５１を地板５０と係合させるための係止爪５５９が設けられている。
【００８３】
コイル巻部５５５に巻かれているコイル５１２の線径、巻き数などは、コイル５１２の材質やアンテナ５１の受信感度などを勘案して設定されている。なお、コイル５１２の表面には予め接着剤が被覆されており、ヒータにより熱風をあてながらコイル５１２を巻くことにより、コイル５１２は互いに接着されている。
【００８４】
アンテナ枠５１３には、地板５０と対向する側（図１４において係止爪５９が設けられた側）の面に開口し、かつコイル巻部５５５と両側の湾曲部５５６にまたがるように連続した収納部５６０が形成されている。なお、収納部５６０には、収納部５６０と略同形状のコア５２１が収められている。
ここで、コイル巻部５５５における収納部５６０は、略コ字状の断面形状を有しているが、コイル巻部５５５の収納部５６０の断面形状としては、略Ｌ字状や板状であってもよい。
なお、コイル５１２（図１３）の内側にはコイル巻部５５５が存在せず、アンテナ枠５１３は、一対の湾曲部５５６Ａ，５５６Ｂからなる２部品で構成されていてもよい。すなわち、コア５２１の両端部については、湾曲部５５６Ａ，５５６Ｂで覆われ保持されることで、アンテナ５１の両端部の強度が確保されているが、コア５２１の中央部については、コイルが巻き回されることで、アンテナ５１の中央部の強度を確保することができる。従って、必ずしもコア５２１の中央部をコイル巻部５５５で覆う必要がなく、アンテナ枠５１３がコイル巻部５５５を備えていなくてもよい。
一方、アンテナ５１の時計１Ｂの厚さ方向における形状は、第４実施形態のアンテナと略同様である。すなわち、コア５２１の積層枚数が部分的に多くなっており、コア５２１が部分的に厚くなっている。そのため、アンテナ枠５１３には、コア５２１を収納する収納部５６０が形成されているが、アンテナ枠５１３の湾曲部５５６Ｂには、収納部５６０よりも深底の収納部５６１が部分的に形成されている。
【００８５】
コア５２１は、Ｃｏ系を主成分とするアモルファス金属の薄板を複数枚積層して構成されている。例えば、約０．０１ｍｍのアモルファス金属薄板が３０〜４０枚程度積層される。アモルファス金属薄板は接着剤により互いに接着され、収納部５６０との隙間に充填された接着剤により収納部５６０に固定されている。
コア５２１の一端側（回路基板４０Ｃの配置された湾曲部５５６Ａ側）の厚さ寸法は、コア５２１の中央部の厚さ寸法と略等しい。一方、コア５２１の他端側（回路基板４０Ｃの配置されていない湾曲部５５６Ｂ側）の厚さ寸法は、コア５２１の中央部の厚さ寸法よりも部分的に大きい。すなわち、湾曲部５５６Ｂ側に設けられたコア５２１には、アモルファス金属薄板の積層枚数が部分的に多い箇所が形成されている。
コイル巻部および一方の湾曲部５５６Ａに形成される収納部５６０の断面形状は、略コ字状に形成され、他方の湾曲部５５６Ｂに形成される収納部５６０の断面形状は、略Ｌ字状に形成されている。この湾曲部５５６Ｂの収納部５６０には、コア５２１の積層枚数が多い部分に対応して、部分的に、他より深く形成された断面コ字状の深底の収納部５６１が形成されている。
コア５２１は、これらの収納部５６０および深底の収納部５６１に収納され、外部からの衝撃等による破損が生じないように保護されている。
【００８６】
回路基板４０Ｃ（図１３）は、絶縁材料で構成されるフレキシブル基板で構成され、この回路基板４０Ｃ上には、はんだによりコイル５１２の端部が接続され、アンテナ５１の同調用素子４８１が複数個実装されている。ここで、一方の湾曲部５５６Ａに設けられるコア５２１は、他方の湾曲部５５６Ｂのコア５２１のように積層枚数が多くなっておらず、湾曲部５５６Ａと裏蓋との間のスペースが確保されており、このことによって、電気素子の実装された回路基板４０Ｃが効率よく収められている。
【００８７】
図１５には、アンテナ５１を地板５０に支持固定する前の状態の斜視図が示されている。図１５では、回路基板４０Ｃは省略されている。
アンテナ５１は、地板５０の外縁に沿って配置される。以下に、アンテナ５１を地板５０へ固定するための構造を説明する。
地板５０のアンテナ５１のコイル巻部５５５とフランジ部５５８とが収められる部分には、コイル巻部５５５とフランジ部５５８との形状に合わせた略長方形の開口部（貫通孔）５６６が形成されている。この開口部５６６は、三角板状の底部５６７を二隅に残して大部分が貫通している。そして、地板５０は、開口部５６６の外側にブロック５６９を備えている。このブロック５６９には、図１３にも示すように、壁５６８下部両端に直方体状の孔からなる係止部５７０が形成されている。
【００８８】
アンテナ５１の支持固定は、以下のように行われている。
アンテナ５１のフランジ部５５８に設けられた係止爪５５９を、地板５０に設けられた係止部５７０に差込み、これと同時に、アンテナ枠５１３の両端部の固定孔５５７を地板５０に設けられた円筒状のピン５７１に嵌めこむ。その後、ピン５７１の内部にねじをしめ込んでアンテナ５１全体を地板５０に固定する。
【００８９】
上述の主な構成部品および必要な部品が取り付けられ、アンテナ５１の固定された地板５０は、ムーブメントとして図示しない外装ケースに組み込まれ、時計１Ｂが得られる。
【００９０】
図１６には、時計１Ｂの内部構成である回路ブロックについて示した。
時計１Ｂは、第１実施形態の時計１と略同様、時刻情報を含む電波を受信する通信手段としての受信手段２と、駆動制御回路４Ａと、指針を駆動する駆動手段４Ｂと、時刻をカウントするカウンタ部４Ｃと、電力を供給する電力供給手段４Ｄと、リュウズなどの外部入力装置３Ａとを備えて構成されている。
【００９１】
ここで、アンテナ５１は、アモルファス箔で形成されたコアが使用されているが、これに限らず、フェライトにより形成されたコアであってもよい。この場合、コアは、フェライトを型成形し、熱処理することにより製造される。このコアの外観は、第４実施形態におけるアモルファス箔２５１０が積層されたコア２５１（図１１）と同様に形成されている。すなわち、中央部の直線部の両側に湾曲して形成された端部をそれぞれ有している。
【００９２】
そして、駆動制御回路４Ａから出力される周波数切替え制御信号により、前記スイッチ２２Ｃ（図３）をオンまたはオフすることで、アンテナ５１で受信する電波の周波数を切り替えるように構成されている。これにより、例えば、日本国内において、送信周波数４０ｋＨｚのおおたかどや山（東日本）の標準電波出力局と、送信周波数６０ｋＨｚのはがね山（西日本）の標準電波出力局とから出力されている２種類の周波数の長波標準電波を切り替えて受信することができるように構成されている。
またさらに、４０ｋＨｚおよび６０ｋＨｚに加えて、ドイツ等における７７．５ｋＨｚを受信する３周波数構成とする場合は、スイッチ２２Ｃの切替えによるアンテナ回路の静電容量およびインダクタンス（アンテナインダクタンス）の双方のスイッチ切替えによってインピーダンスを変化させ、受信電波周波数の切替えが行われる構成とすればよい。
【００９３】
受信手段２は、図１６および図１７に示すように、アンテナ５１と、同調回路２２と、受信回路２３と、時刻情報を記憶する時刻データ記憶回路２４とを備えている。ここでは、受信回路２３についての説明を追加する。
受信回路２３は、図１７に示されるように、アンテナ５１によって受信された長波標準電波信号を増幅する増幅回路２３１と、増幅された長波標準電波信号から所望の周波数成分のみを抜き出すバンドパスフィルタ２３２と、長波標準電波信号を平滑化し復調する復調回路２３３と、増幅回路２３１のゲインコントロールを行ない長波標準電波信号の受信レベルが一定になるように制御するＡＧＣ（Automatic Gain Control）回路２３４と、復調された長波標準電波信号をデコードして出力するデコード回路２３５とを備えて構成されている。
受信回路２３で受信され信号処理された時刻情報は、図１６に示すように、時刻データ記憶回路２４に出力されて記憶される。
受信回路２３は、予め設定されたスケジュールや外部入力装置３Ａによる強制受信操作等によって、駆動制御回路４Ａから出力される受信制御信号に基づいて時刻情報の受信を開始する。
【００９４】
駆動制御回路４Ａには、図１６に示されるように、パルス合成回路４Ａ１からのパルス信号が入力される。パルス合成回路４Ａ１は、水晶振動子などの基準振動子４Ａ１１からの基準パルスを分周してクロックパルスを生成し、また、基準パルスからパルス幅やタイミングの異なるパルス信号を発生させる。
【００９５】
駆動制御回路４Ａは、一秒に一回出力され秒針を駆動させる秒駆動パルス信号ＰＳ１と、一分間に一回出力され時分針を駆動させる時分駆動パルス信号ＰＳ２とを、秒駆動回路４１、時分駆動回路４２に出力して、指針の駆動を制御する。すなわち、各駆動回路４１，４２は、各駆動回路４１、４２からのパルス信号によって駆動されるステッピングモータからなる秒モータ４１１，時分モータ４２１を駆動し、これにより各モータ４１１，４２１に接続された秒針と、分針および時針とを駆動する。そして、各指針、モータ４１１，４２１、駆動回路４１，４２によって時刻を表示する時刻表示手段が構成されている。なお、時刻表示手段としては、１つのモータで、時針、分針、秒針を駆動するものでもよい。
また、駆動制御回路４Ａは、暦駆動回路４３にも信号を出力して、ステッピングモータからなる暦モータ４３１により日車の駆動を制御する。
【００９６】
カウンタ部４Ｃは、秒をカウントする秒カウンタ回路４Ｃ１と、時分をカウントする時分カウンタ回路４Ｃ２とを備えて構成されている。
秒カウンタ回路４Ｃ１は、秒位置カウンタ４Ｃ１１と、秒時刻カウンタ４Ｃ１２と、一致検出回路４Ｃ１３とを備えて構成されている。秒位置カウンタ４Ｃ１１および秒時刻カウンタ４Ｃ１２はともに６０カウント、つまり１Ｈｚの信号が入力された場合には６０秒でループするカウンタである。秒位置カウンタ４Ｃ１１は、駆動制御回路４Ａから秒駆動回路４１に供給される駆動パルス信号（秒駆動パルス信号ＰＳ１）をカウントしている。つまり、秒針を駆動させる駆動パルス信号をカウントすることによって、秒針が示している秒針の位置をカウントしている。
秒時刻カウンタ４Ｃ１２は、通常は、駆動制御回路４Ａから出力される１Ｈｚの基準パルス信号（クロックパルス)をカウントする。また、受信手段２で時刻情報を受信した場合には、この時刻情報のうちの秒データに合わせてカウンタ値が修正される。
【００９７】
同様に、時分カウンタ回路４Ｃ２は、時分位置カウンタ４Ｃ２１と、時分時刻カウンタ４Ｃ２２と、一致検出回路４Ｃ２３とを備えて構成されている。時分位置カウンタ４Ｃ２１および時分時刻カウンタ４Ｃ２２はともに２４時間分の信号が入力されるとループするカウンタである。時分位置カウンタ４Ｃ２１は、駆動制御回路４Ａから時分駆動回路４２に供給される駆動パルス信号（時分駆動パルス信号ＰＳ２）をカウントし、時針、分針が示している時分針の位置をカウントしている。
時分時刻カウンタ４Ｃ２２は、通常は、駆動制御回路４Ａから出力される１Ｈｚのパルス（クロックパルス)をカウントする（正確には１Ｈｚを６０回計数したところで１カウントとする）。また、受信手段２で時刻情報を受信した場合には、この時刻情報のうちの時分データに合わせてカウンタ値が修正される。
【００９８】
各一致検出回路４Ｃ１３，４Ｃ２３は、各位置カウンタ４Ｃ１１，４Ｃ２１と各時刻カウンタ４Ｃ１２，４Ｃ２２とのカウント値の一致を検出し、一致しているか否かを示す検出信号を駆動制御回路４Ａに出力する。
駆動制御回路４Ａは、各一致検出回路４Ｃ１３，４Ｃ２３から不一致信号が入力されると、一致信号が入力されるまで各駆動パルス信号ＰＳ１，ＰＳ２を出力し続ける。このため、通常運針時は、駆動制御回路４Ａから１Ｈｚの基準信号によって各時刻カウンタ４Ｃ１２，４Ｃ２２のカウンタ値が変化して位置カウンタ４Ｃ１１，４Ｃ２１と不一致となると、各駆動パルス信号ＰＳ１，ＰＳ２が出力されて各指針が動くとともに、各位置カウンタ４Ｃ１１，４Ｃ２１が各時刻カウンタ４Ｃ１２，４Ｃ２２と一致することになり、この動作を繰り返すことで、通常の運針制御が行われる。
また、受信した時刻情報で各時刻カウンタ４Ｃ１２，４Ｃ２２が修正されると、そのカウンタ値に各位置カウンタ４Ｃ１１，４Ｃ２１のカウンタ値が一致するまで、各駆動パルス信号ＰＳ１，ＰＳ２が出力され続け、指針が早送りされて正しい時刻に修正される。
【００９９】
一方、暦に関しては、検出孔５２７１Ａ，５２７２Ａ，５２７３Ａ，５２２２Ａ，５２７５Ａ（図１３）の位置が一致してフォトセンサが受光を検知し、正時の状態であることが検出されるたびに、暦駆動回路４３に信号が出力され、また、受信手段２で暦情報を受信した場合には、この暦情報が暦駆動回路４３に出力される。
【０１００】
電力供給手段４Ｄは、自動巻発電機等によって構成された発電手段としての発電装置４Ｄ１と、発電装置４Ｄ１で発電された電力を蓄電する電池４５２とを備えて構成されている。
【０１０１】
このような本実施形態においても、湾曲部５５６Ｂ側に設けられたコア５２１には、裏蓋側へアモルファス金属薄板が部分的に多く積層された箇所が形成されていることにより、前記第１実施形態、第２実施形態および第４実施形態と同様に、非導電性の裏蓋を介して時刻情報を良好に受信できる。これにより、時刻合わせおよび暦合わせをより確実に行うことができる。
【０１０２】
このような第５実施形態によれば、前述の実施形態と同様の効果を奏するほか、次のような効果をも奏する。
（１７）アンテナ枠５１３の一方の湾曲部５５６Ｂの深底の収納部５６１にアモルファス箔を積層配置することで、アモルファス箔の積層数を、コイル巻部５５５および他方の湾曲部５５６Ａにおけるアモルファス箔の積層数よりも多くすることにより、裏蓋側からコイル５１２に入る磁束を集磁しやすくなってコア５２１の集磁効果が高まる。従って、ケーシング内の限られたスペースを有効に利用するとともに、電波の受信感度を向上させることができる。また、収納部５６０，５６１にコア５２１が収納されていることで、熱処理してもろく割れやすくなったアモルファス箔を落下等による衝撃から保護することができ、コア５２１の耐久性を向上させることができる。
【０１０３】
（１８）アンテナ５１は、地板５０に設けられた係止部５７０二箇所とアンテナ５１の両端との位置の離れた四箇所によって係止され、地板５０に安定して固定することができるので、比較的重量のあるアンテナ５１の振動等によるばたつきを少なくできる。また、アンテナ５１は地板５０に直接固定されているので、地板５０以外の部品でアンテナ５１を押さえる必要がなくなり、アンテナ５１をスペース的に効率よく収めることができる。
【０１０４】
（１９）アンテナ５１は、アンテナ枠５１３の両端部による固定と、係止爪５５９と係止部５７０とが係合させることによって確実に係止することができ、より安定して地板５０に固定できる。
【０１０５】
（２０）アンテナ枠５１３の形状を平面形状略円形の地板５０の外縁に沿って弓型に形成するので、アンテナ５１をスペース的に効率よく収めることができる。また、アンテナ枠５１３が弓型の形状であっても、アンテナ枠５１３の両端をねじ止めし、またコイル巻部５５５の両端に設けられた係止爪５５９を係止部５７０によって係止することにより、離れた四点でアンテナ５１を地板に安定して固定できる。
【０１０６】
（２１）コア５２１を直接固定することなく、合成樹脂製のアンテナ枠５１３を固定している。したがって、コア５２１に直接余分な力が加わらないので破損や歪が生じにくく、受信感度を安定させることができる。
また、ＡＧＣ回路２３４（図１７）により増幅回路２３１のゲインコントロールが行われるので、電界強度によらず、受信信号レベルを一定とすることが可能となる。
【０１０７】
〔変形例〕
本発明は、前記各実施形態に限定されるものではない。
すなわち、本発明は、主に特定の実施の形態に関して特に図示され、かつ、説明されているが、以上述べた実施の形態に対し、本発明の技術的思想および目的の範囲から逸脱することなく、形状、材質、数量、その他の詳細な構成において、当業者が様々な変形を加えることができる。
【０１０８】
アンテナの形状についても、前記各実施形態には限定されない。例えば、アンテナの平面形状に関しては、第１実施形態において、コアの各端部を湾曲形成せずに、一方の端部から他方の端部まで直線状に延びるアンテナとしてもよい。あるいは、コアの中間部が平面円弧状に形成され、両端部が平面直線状に構成されたアンテナとしてもよい。
そして、アンテナの配置位置についても、前記各実施形態のようにケーシング内の９時方向に限られず、リュウズの巻真やボタンの軸等の位置を考慮して、外装ケース内の任意の位置にアンテナを配置できる。
【０１０９】
アンテナとしては、コアとコイルとの間に絶縁テープを介装したものであってもよい。
また、アンテナとしては、コアの直線部がアンテナ枠ごと絶縁テープで巻かれて固定され、この絶縁テープの上から直線部およびアンテナ枠の周囲にコイルが巻き回されたものであってもよい。これにより、コイルとコアとを絶縁テープで確実に絶縁できるとともに、コアが断面矩形状に形成されていても、コアの角のエッジでコイルが切れるのを防止できる。
【０１１０】
コアを形成する薄膜磁性体としては、コバルト系アモルファス金属に限らず、鉄系アモルファス金属等の箔（薄板）などでもよい。
なお、コアとしては、少なくとも直線部の厚さ寸法よりも、端部の厚さ寸法の方が大きく設定されていればよく、各実施形態のようなアモルファス箔（薄板）の積層構造体に限られず、別構造のアモルファス材のコアでもよい。また、フェライト材のコアでもよい。
【０１１１】
アンテナ枠としては、収納部の断面形状が略コ字状に形成されたものに限らず、収納部の断面形状が略Ｌ字状に形成されたものでもよい。
また、アンテナ枠の代わりに、コア保持部材としてプラスチック製の板形状のベース板を用いて、アモルファス箔の裏蓋側の面および積層端面とを覆うようにしてもよい。このようなベース板により積層されたアモルファス箔を補強する効果がある。
【０１１２】
外装ケースは、全体が金属製のものに限らず、例えば、プラスチックケースの表面にステンレスやチタン等の金属製カバーを取り付けて構成されたものでもよい。さらに、外装ケースは、合成樹脂やセラミックなどの非導電性材料で構成してもよく、さらにはこれらプラスチック等にメタリック塗装などの表面処理を施して金属層を形成したもので構成してもよい。
【０１１３】
第１実施形態では、文字板および裏蓋の両方に非導電性部材が使用されていたが、これに限らず、文字板については導電性部材で構成され、例えば、文字板がステンレス鋼、真鍮、チタンなどの金属材料により形成されていてもよい。この場合、文字板が透光性を有しないことから、ソーラーパネルは設けられず、これに伴って電池には銀電池などの一次電池が採用されてもよい。
また、第２実施形態では、裏蓋に導電性部材が使用されていたが、裏蓋についても文字板と同様に非導電性部材で構成していてもよい。
なお、前記各実施形態では、外装ケースは胴部であるケーシング、カバーガラス、および裏蓋を備えて構成されていたが、これに限らず、胴部と裏蓋とが一体化されたワンピース型の外装ケースであってもよい。
【０１１４】
第１実施形態において、裏蓋の外周リング内にガラス板が嵌め込まれていたが、このような構成に限らず、コアの端部における軸線と対向する位置のみにガラス部材を散点的に配置することも考えられ、また、裏蓋全体をガラス部材で構成することも考えられる。
【０１１５】
本発明のアンテナ内蔵式電子時計は、前記各実施形態のような指針を備えたアナログ式の時計に限らず、デジタル式であってもよい。デジタル時計の場合、液晶パネルと回路基板、電池等で構成できてアナログ時計に比べて部品点数が少ないため、非常に薄型の時計にできる。
【０１１６】
アンテナによって受信する無線情報としては、時刻情報を含む長波標準電波に限定されない。例えば、時刻情報を受信する場合でも、その無線信号としては、３００ＭＨｚ帯の微弱電波無線、４００ＭＨｚ帯の特定小電力無線、２．４ＧＨｚ帯のBluetooth(ブルートゥース）等を利用してもよい。これらの無線を受信する場合には、周波数が高いため、コイルのターン数は少なくてよく、アンテナも小さくできる。
【０１１７】
また、電波を用いた無線通信に限らず、電磁結合方式や電磁誘導方式等の他の無線通信方式を用いてもよい。なお、電磁結合や電磁誘導方式は、通信機器同士を近接させる必要があるが、ステンレス等の非磁性体であれば金属部分でも透過して通信が可能である。
【０１１８】
さらに、アンテナを用いて通信する無線情報としては、時刻情報に限らない。例えば、時計１内にＩＣカード機能を内蔵させ、電車の定期券や各種プリペイドＩＣカードのような情報を送受信するために利用してもよい。例えば、外装ケース内にＩＣチップとアンテナ等を組み込み、ＩＣカードを用いた改札機や入退室管理機、各種の課金支払機等に腕時計を近接させて情報をやり取りできるようにしてもよい。この場合、別途、ＩＣカードを出し入れする必要がなく、時計をはめた手を近付けるだけでよいため、操作性を非常に向上することができる。
従って、本発明の外装ケースに内蔵されるアンテナとしては、標準電波を受信する場合のような受信専用に用いるものでもよいし、非接触ＩＣを用いたタグのように、情報を送受信するために用いてもよいし、さらには送信専用に用いてもよく、これらは本発明を適用する電子時計つまりはアンテナ内蔵式電子機器の種類に応じて適宜選択すればよい。
【産業上の利用可能性】
【０１１９】
本発明は、電波修正時計などのアンテナ内蔵式電子時計に利用できる。
【図面の簡単な説明】
【０１２０】
【図１】本発明の第１実施形態の時計を示す裏蓋側からみた平面図である。
【図２】前記実施形態の時計の側断面図である。
【図３】前記実施形態の受信回路の構成を示すブロック図である。
【図４】前記実施形態のアンテナの構成を示す平面図である。
【図５】前記実施形態のアンテナを示す側断面図である。
【図６】前記実施形態のアンテナを構成する薄膜磁性体を示す図であり、（Ａ）は文字板側の薄膜磁性体を示す平面図、（Ｂ）は裏蓋側の薄膜磁性体を示す平面図である。
【図７】本発明の効果を説明する図であり、（Ａ）は本発明の側面図、（Ｂ）は比較例の側面図である。
【図８】本発明の第２実施形態の時計の側断面図である。
【図９】本発明の第３実施形態のアンテナを示す側断面図である。
【図１０】前記実施形態のアンテナを構成する薄膜磁性体を示す図であり、（Ａ）は文字板側の薄膜磁性体を示す平面図、（Ｂ）は裏蓋側の薄膜磁性体を示す平面図である。
【図１１】本発明の第４実施形態のアンテナを示す側断面図である。
【図１２】前記実施形態のアンテナを構成する薄膜磁性体を示す図であり、（Ａ）は文字板側の薄膜磁性体を示す平面図、（Ｂ）は裏蓋側の薄膜磁性体を示す平面図である。
【図１３】本発明の第５実施形態の時計を示す平面図である。
【図１４】前記実施形態のアンテナからコイルを取り除いたものの斜視図である。
【図１５】前記実施形態のアンテナを地板に支持固定する前の状態の斜視図である。
【図１６】前記実施形態の構成を示すブロック図である。
【図１７】前記実施形態の受信回路の構成を示すブロック図である。
【符号の説明】
【０１２１】
１，１Ａ，１Ｂ…時計（アンテナ内蔵式電子時計）、２…受信手段、３…外装ケース、２１，５１…アンテナ、３３，３３Ａ…裏蓋、３７，３７Ａ，５０…地板、４０，４０Ａ，４０Ｂ，４０Ｃ…回路基板、２１１，２２１，２４１，２５１，５２１…コア、２１１Ａ，２２１Ａ，２４１Ａ，２５１Ａ…端部（延設部）、２１１Ｃ，２２１Ｃ，２４１Ｃ，２５１Ｃ…直線部（コイル部）、２１２，５１２…コイル、２１３，２１３Ａ，２１３Ｂ，２１３Ｃ，５１３…アンテナ枠（コア保持部材）、２１６，２１６Ａ，２１６Ｂ，２１７，２１７Ａ，５６０，５６１…収納部、３７１…貫通孔、３７２…コア溝部、５６６…開口部（貫通孔）、２１１０，２１１１，２２１０，２２１１，２４１０，２４１１，２５１０，２５１１…アモルファス箔（薄膜磁性体）。
【図１】
2009250669.tif 000003
【図２】
2009250669.tif 000004
【図３】
2009250669.tif 000005
【図４】
2009250669.tif 000006
【図５】
2009250669.tif 000007
【図６】
2009250669.tif 000008
【図７】
2009250669.tif 000009
【図８】
2009250669.tif 000010
【図９】
2009250669.tif 000011
【図１０】
2009250669.tif 000012
【図１１】
2009250669.tif 000013
【図１２】
2009250669.tif 000014
【図１３】
2009250669.tif 000015
【図１４】
2009250669.tif 000016
【図１５】
2009250669.tif 000017
【図１６】
2009250669.tif 000018
【図１７】
2009250669.tif 000019